(57)【要約】【課題】  掃除機性能を低下させることなく量産性を高めるのに適した掃除機用ブラシを安価に提供する。【解決手段】  円筒形コア１と、円筒形コア１の溝部５のそれぞれに保持される取付け座部２２を根元に備えたブレード２とを有する。円筒形コア１を、円筒形のコア本体３と、ブレード保持体４とによって形成する。ブレード保持体４は、自然状態でまっすぐに延びる樹脂成形体でなり、コア本体３に装着されることによって螺旋状に曲げられる。２つ１組みのブレード保持体４，４が１つの溝部５を形成する。ブレード保持体４は、爪部４３と座部４１とを備えていて、爪部４３のフック片４４と座部４１とによりコア本体３の筒壁を弾圧状態で挟持するようになっている。【選択図】        図１
2007195631.tif 000002
【特許請求の範囲】
【請求項１】
外周囲複数箇所に螺旋方向に延びる溝部を備えた回転駆動される円筒形コアと、この円筒形コアの上記溝部のそれぞれに保持される取付け座部を根元に備えたブレードとを有する掃除機用ブラシにおいて、
上記円筒形コアが、円筒形のコア本体と、自然状態でまっすぐに延びる樹脂成形体でなりかつ螺旋状に曲げて上記コア本体の外周囲複数箇所に装着されることによってそのコア本体の外周囲複数箇所に上記溝部を具備させるブレード保持体とによって形成されていて、
上記ブレード保持体は、上記コア本体の外周面に重ね合わされる座部の長手方向複数箇所に爪部を備えていると共に、それらの爪部のそれぞれを、上記コア本体の長手方向複数箇所に螺旋方向に並べて開設されている係合孔部に各別に係合させることにより螺旋状に曲げられてその座部が上記コア本体に装着されていると共に、上記溝部が、上記コア本体の周方向に並べて装着された２つ１組のブレード保持体の相互間によって形作られてその溝部に上記ブレードの取付け座部が保持され、
ブレード保持体の上記爪部は、コア本体の上記係合孔部に挿入した後にそのコア本体の長手方向にずらせることによって上記コア本体の筒壁を上記座部と共働して挟持するフック片を備えていることを特徴とする掃除機用ブラシ。
【請求項２】
外周囲複数箇所に螺旋方向に延びる溝部を備えた回転駆動される円筒形コアと、この円筒形コアの上記溝部のそれぞれに保持される取付け座部を根元に備えたブレードとを有する掃除機用ブラシにおいて、
上記円筒形コアが、円筒形のコア本体と、自然状態でまっすぐに延びる樹脂成形体でなりかつ螺旋状に曲げて上記コア本体の外周囲複数箇所に装着されることによってそのコア本体の外周囲複数箇所に上記溝部を具備させるブレード保持体とによって形成されていて、
上記コア本体に装着された上記ブレード保持体の上記溝部に、上記ブレードの取付け座部が保持されていることを特徴とする掃除機用ブラシ。
【請求項３】
上記ブレード保持体は、上記コア本体の外周面に重ね合わされる座部の長手方向複数箇所に爪部を備えていると共に、それらの爪部のそれぞれを、上記コア本体の長手方向複数箇所に螺旋方向に並べて開設されている係合孔部に各別に係合させることにより螺旋状に曲げられてその座部が上記コア本体に装着されている請求項２に記載した掃除機用ブラシ。
【請求項４】
上記溝部が、上記コア本体の周方向に並べて装着された２つ１組のブレード保持体の相互間によって形作られている請求項３に記載した掃除機用ブラシ。
【発明の詳細な説明】
【技術分野】
【０００１】
本発明は、掃除機用ブラシ、特に、掃除機性能を低下させずに量産性を高めるための対策が講じられた掃除機用ブラシに関する。
【背景技術】
【０００２】
従来、掃除機の吸込口に装備される掃除機用ブラシとして図９に例示したものがあった。このものは、ベルト伝動などによって軸線周りに回転駆動される円筒形コア１と、この円筒形コア１の外周囲複数箇所（図例は６箇所）に配備されたブレード２…とを備えていて、それぞれのブレード２が円筒形コア１の外周囲で螺旋方向に延びている。この構成の掃除機用ブラシは、掃除機の吸込口に装備され、掃除機使用時には、円筒形コア１が回転駆動されることによって複数本のブレード２…が円筒形コア１と共に回転する。そして、螺旋状のブレード２が常に床面を叩き付けるように作用する。したがって、ブレード２に螺旋形状が付与されているのは、ブレード２によって常に床面を叩き付けることができるようにすることや、ブレード２の全長部分が同時に床面に接触することに伴う回転負荷の増大を回避することなどによっている。
【０００３】
そして、従来は、円筒形コア１にブレード２に取り付ける手段として次の構成が採用されていた。すなわち、同図のように、円筒形コア１の外周囲複数箇所に形成されて螺旋方向に延びる溝部５のそれぞれに、ゴム材などで作られたブレード１の根元に備わっている取付け座部をスライドさせて差し込むという手段が採用されていた。
【０００４】
この構成の掃除機用ブラシにおいて、螺旋方向に延びる溝部５を備える円筒形コア１には、大きな強度と剛性が要求されることを考慮して、注形金型を用いた成形品を用いられたり、アルミニウムの押出し成形品が用いられたりしていた。
【０００５】
一方、掃除機用ブラシ組品に関し、回転体の溝にブラシを装備しているブラシ台を挿入することによって、その回転体にブラシを取り付けるということが行われている（たとえば、特許文献１参照）。
【特許文献１】特開平６−１２５８１１号公報
【発明の開示】
【発明が解決しようとする課題】
【０００６】
しかしながら、図９を参照して説明した従来の掃除機用ブラシの円筒形コア１は、溝幅のきわめて狭い溝部５が螺旋方向に延びているという構造を有することからその製作に高度の技術性が要求され、そのことが原因になって、注形金型を用いて成形することには量産性に欠けるという問題点が存在し、アルミニウムの押出し成形品を用いると円筒形コア１自体の価格が非常に高くつくという問題点があった。
【０００７】
これらの問題点を幾分かでも解決するには、ブレード２の数量を減らして溝部５の溝幅を広くすることにより、円筒形コア１の製作を容易にするということが有効であると云えるけれども、そのようにすると、ブレード２の数量によって影響を受ける掃除機性能が低下する可能性があるために、そのような手段を採用することが必ずしも望ましいものであるとは云えなかった。
【０００８】
本発明は、以上の問題点や状況に鑑みてなされたものであり、掃除機性能を低下させずに量産性を高めることができ、しかも、安価な掃除機用ブラシを提供することを目的とする。
【課題を解決するための手段】
【０００９】
本発明に係る掃除機用ブラシは、外周囲複数箇所に螺旋方向に延びる溝部を備えた回転駆動される円筒形コアと、この円筒形コアの上記溝部のそれぞれに保持される取付け座部を根元に備えたブレードとを有する掃除機用ブラシにおいて、上記円筒形コアが、円筒形のコア本体と、自然状態でまっすぐに延びる樹脂成形体でなりかつ螺旋状に曲げて上記コア本体の外周囲複数箇所に装着されることによってそのコア本体の外周囲複数箇所に上記溝部を具備させるブレード保持体とによって形成されていて、上記コア本体に装着された上記ブレード保持体の上記溝部に、上記ブレードの取付け座部が保持されている、というものである。
【００１０】
この構成であると、円筒形コアの溝部が、コア本体に螺旋状に曲げて装着されるブレード保持体によって円筒形のコア本体に具備されるので、コア本体に直接に溝部を形成する必要がなく、しかも、ブレード保持体は自然状態でまっすぐに延びる樹脂成形体でなることから、コア本体と樹脂成形体との両方を容易に製作することが可能になるだけでなく、ブレードが装着される溝部の本数を図９を参照して説明した従来例と同等に確保することも容易に可能である。したがって、掃除機性能を低下させることなく量産性を容易に高めることが可能になる。また、コア本体やブレード保持体はそれ自体安価に製作されるために、掃除機用ブラシひいては掃除機を安価に提供することが可能になる。
【００１１】
本発明において、上記ブレード保持体は、上記コア本体の外周面に重ね合わされる座部の長手方向複数箇所に爪部を備えていると共に、それらの爪部のそれぞれを、上記コア本体の長手方向複数箇所に螺旋方向に並べて開設されている係合孔部に各別に係合させることにより螺旋状に曲げられてその座部が上記コア本体に装着されている、という構成を採用することが望ましい。これによれば、まっすぐな樹脂成形体でなるブレード保持体を前行程で螺旋状に成形するという手間をかけることなく、そのブレード保持体をコア本体に装着する作業を行うだけでコア本体に装着されたブレード保持体が螺旋状に保形されるために量産性を高める上できわめて有益である。
【００１２】
本発明では、上記溝部が、上記コア本体の周方向に並べて装着された２つ１組のブレード保持体の相互間によって形作られていることが望ましい。これによれば、１つのブレード保持体に形成した溝部にブレードを保持させる場合よりも、ブレード保持体の取付け強度が高まると同時に、その取付け状態も安定する。
【００１３】
本発明に係る掃除機用ブラシは、外周囲複数箇所に螺旋方向に延びる溝部を備えた回転駆動される円筒形コアと、この円筒形コアの上記溝部のそれぞれに保持される取付け座部を根元に備えたブレードとを有する掃除機用ブラシにおいて、上記円筒形コアが、円筒形のコア本体と、自然状態でまっすぐに延びる樹脂成形体でなりかつ螺旋状に曲げて上記コア本体の外周囲複数箇所に装着されることによってそのコア本体の外周囲複数箇所に上記溝部を具備させるブレード保持体とによって形成されていて、上記ブレード保持体は、上記コア本体の外周面に重ね合わされる座部の長手方向複数箇所に爪部を備えていると共に、それらの爪部のそれぞれを、上記コア本体の長手方向複数箇所に螺旋方向に並べて開設されている係合孔部に各別に係合させることにより螺旋状に曲げられてその座部が上記コア本体に装着されていると共に、上記溝部が、上記コア本体の周方向に並べて装着された２つ１組のブレード保持体の相互間によって形作られてその溝部に上記ブレードの取付け座部が保持され、ブレード保持体の上記爪部は、コア本体の上記係合孔部に挿入した後にそのコア本体の長手方向にずらせることによって上記コア本体の筒壁を上記座部と共働して挟持するフック片を備えている、という構成を採用することによっていっそう具体化される。この発明の作用は後述する実施形態を参照して詳細に説明する。
【発明の効果】
【００１４】
以上のように、本発明によれば、従来例に備わっている円筒形コアの役割を、製作が容易な円筒形のコア本体と、同じく製作が容易なまっすぐな樹脂成形体でなるブレード保持体とによって担わせる構成を採用したことにより、量産性を高めるの適した掃除機用ブラシを安価に提供することが可能になるだけでなく、ブレードの本数を従来例と同等に確保することも容易に可能であるので、掃除機性能を低下させることもない。その結果、ユーザにとっては、掃除機性能に優れた掃除機を安価に入手することができるという利点がある。
【発明を実施するための最良の形態】
【００１５】
図１は本発明の実施形態に係る掃除機ブラシの概略斜視図、図２は同掃除機ブラシの一端部を示した概略拡大側面図、図３はコア本体３の概略斜視図、図４はブレード保持体４の概略拡大側面図、図５はブレード保持体４を一部省略して示した縦断正面図、図６はブレード保持体４が装着されたコア本体３を一部省略して示した拡大縦断正面図、図７はブレード４の側面図、図８はブレード２の一部省略正面図である。
【００１６】
図１に示したように、この掃除機用ブラシは、ベルト伝動などによって軸線周りに回転駆動される円筒形コア１と、この円筒形コア１の外周囲複数箇所（図例は６箇所）に配備されたブレード２…とを備えていて、それぞれのブレード２が円筒形コア１の外周囲で螺旋方向に延びている。
【００１７】
図２を参照することによって判るように、この事例の掃除機用ブラシでは、円筒形コア１が円筒形のコア本体３とそのコア本体３の外周囲複数箇所に装着された複数本（図例では６本）のブレード保持体４とによって形成されている点で、図９を参照して説明した従来例と異なっている。
【００１８】
ブレード保持体４は、自然状態でまっすぐに延びる樹脂成形体でなり、円筒形のコア本体３の外周囲に装着することによって螺旋状に曲がられている。すなわち、ブレード保持体４は、容易に形崩れしない程度の柔軟性を有する樹脂成形体でなり、成形直後の形状はまっすぐに延びた形状になっている。したがって、このブレード保持体４は、樹脂材料を押出し成形した長尺物を所定長さに切断するか、あるいは、所要長のものを射出成形するかによって容易にかつ安価に製作することが可能である。図４又は図５に示したように、このブレード保持体４は、側面視円弧状の座部４１と、この座部４１の幅方向両端から側方へ延び出た突出部４２，４２と、座部４１の裏面側で長手方向所定間隔おきの複数箇所に具備された爪部４３とを一体に備え、爪部４３には、座部４１の長手方向に突き出たフック片４４が具備されている。
【００１９】
これに対し、円筒形のコア本体３は、図３に示したように、その筒壁の螺旋方向（図中に一点鎖線ａによって示してある）に並ぶ複数箇所に形成された係合孔部３１の列を、周方向等角度おきの複数箇所（図例では６箇所）に備えている。この構成を有する円筒形のコア本体３は、矩形の平板材に係合孔部３１の列を複数列に亘って打抜き形成した後、その平板材を筒状に成形するという造管行程を経ることにより容易にかつ安価に製作することが可能である。
【００２０】
円筒形のコア本体３にブレード保持体４を装着する行程では、１本のブレード保持体４の複数の爪部４３を、コア本体３の同一列に並んでいる複数の係合孔部３１のそれぞれに各別に挿入することによってブレード保持体４の座部４１をコア本体３の外周面に重ね合わせた後、ブレード保持体４をコア本体３の長手方向にずらせる、という作業が行われる。この作業を行うと、図６のように、ブレード保持体４の爪部４３がコア本体３の係合孔部３１の孔縁に突き当たってそのブレード保持体４がコア本体３に対して位置合わせされると共に、爪部４３のフック片４４が座部４１と共働してコア本体３の筒壁を弾圧状態で挟持することにより、ブレード保持体４とコア本体３とが相互に位置決めされる。
【００２１】
以上の手順を経ることにより、コア本体３の各列の係合孔部３１を利用してそのコア本体３の周方向等角度おきの複数箇所に複数本のブレード保持体４を各別に装着すると、それぞれのブレード保持体４が自然に螺旋状に曲がってそのまま保形され、しかも、相隣接する２本のブレード保持体４，４の相互間には、図２に示したように、それらのブレード保持体４，４の突出部４２とコア本体３の筒壁とによって螺旋方向に延びる蟻溝形の溝部５が形作られる。
【００２２】
図７又は図８に示したように、ブレード２は、長手方向複数箇所に切込み２１を形成してその柔軟性を高めてあると共に、その根元には、両側に張り出した取付け座部２２を備えている。そして、この取付け座部２２を、図２に示した円筒形コア１の溝部５にスライドさせて差し込むことによってブレード２がその円筒形コア１に装備される。ここで、上記溝部５は螺旋状に延びているために、ブレード２もその溝部５に沿う螺旋形状を形作るようになる。
【００２３】
この実施形態の掃除機用ブレードは、ブレード２が取り付けられる螺旋状の溝部５を備える円筒形コア１が、円筒形のコア本体３とそのコア本体３に装着されることによって螺旋状に曲げられる複数本のブレード保持体４とによって形成されていて、それらのコア本体３やブレード保持体４が容易にかつ安価に製作し得る形状に形成されているので、全体として掃除機用ブレードを安価に提供することができる。また、ブレード２が取り付けられる螺旋状の溝部５は、同一形状のブレード保持体４を２つ一組として組み合わせることによって形成されているので、コア本体３に装着するブレード保持体４の使用数を増やして溝部５の本数を増やし、そうすることによって円筒形コア１に具備させ得るブレード２の本数を増やした場合に、それぞれの溝部５の溝幅が狭くなるとしても個々のブレード保持体４の成形ないし製作が困難になるという事態が起こり得ない。したがって、このことが、従来例と同等の掃除機性能を発揮する掃除機用ブラシを安価に提供することに役立つ。また、２つ１組のブレード保持体４，４によって１本の溝部５を形成し、その溝部５にブレード２の取付け座部２２を取り付けるようにしてあるので、掃除機使用時にブレード２に加わる荷重が２つのブレード保持体４，４に分散されて受け止められるようになり、１つのブレード保持体４にはそれほど大きな荷重が加わらなくなる。そのため、ブレード２の取付け強度が向上し、かつ、その取付け状態が安定するという利点もある。
【００２４】
この実施形態では、２つ１組のブレード保持体４，４によって１本の溝部５が形成されるように構成してあるけれども、１つのブレード保持体４に溝部をそれぞれ形成しておいてもよい。
【図面の簡単な説明】
【００２５】
【図１】本発明の実施形態に係る掃除機ブラシの概略斜視図である。
【図２】同掃除機ブラシの一端部を示した概略拡大側面図である。
【図３】コア本体３の概略斜視図である。
【図４】ブレード保持体の概略拡大側面図である。
【図５】ブレード保持体を一部省略して示した縦断正面図である。
【図６】ブレード保持体が装着されたコア本体を一部省略して示した拡大縦断正面図である。
【図７】ブレードの側面図である。
【図８】ブレードの一部省略正面図である。
【図９】従来例の概略斜視図である。
【符号の説明】
【００２６】
１  円筒形コア
２  ブレード
３  コア本体
４  ブレード保持体
５  溝部
２２  取付け座部
３１  係合孔部
４１  座部
４３  爪部
４４  フック片
【図１】
2007195631.tif 000003
【図２】
2007195631.tif 000004
【図３】
2007195631.tif 000005
【図４】
2007195631.tif 000006
【図５】
2007195631.tif 000007
【図６】
2007195631.tif 000008
【図７】
2007195631.tif 000009
【図８】
2007195631.tif 000010
【図９】
2007195631.tif 000011